(57)【特許請求の範囲】
【請求項１】
音源からのオーディオ信号を所定標本化周波数により標本化して生成される標本化データが全体を含むｎ個の部分パートに分離してｎ個の記録領域に記録された記録媒体からオーディオ信号を再生する再生装置において、
上記記録媒体のｎ個の記録領域から信号を読み取る読み取り手段と、
上記読み取り手段で読み取られた上記記録媒体のｎ個の記録領域の各領域の信号を選択的に再生し若しくは全領域の中から少なくとも二つの領域以上の信号を合成して再生するかを制御する制御手段とを備え、
上記読み取り手段は、全ての記録領域を読み出し、上記制御手段は、各記録領域から得られたデータを合成して再生し、
上記記録媒体がｎ＝２となる二つの記録層を有するディスク状記録媒体であるとき、上記制御手段は、上記読み取り手段を使って一つの層を再生し、他の層を再生する際に、時間軸上の一つの層の再生終了時点より前に戻って再生開始するとともに、再生終了時点より後まで再生した後、上記一つの層に再生を移す記録媒体の再生装置。
【請求項２】
上記読み取り手段は、複数の読み取り機構を有する請求項１記載の記録媒体の再生装置。
【請求項３】
上記読み取り手段は、上記ｎ個の記録領域を読み取るのに一つの読み取り機構を用い、上記制御手段は、各領域に記録されたオーディオ信号の要求する速度のｎ倍以上の速度で上記読み取り手段に読み取らせ、バッファリングして所定量になると出力させる請求項１項記載の記録媒体の再生装置。
【発明の詳細な説明】
【０００１】
技術分野
本発明は、オーディオ信号が記録された記録媒体の再生装置に関する。
【０００２】
背景技術
直径を１２ｃｍとする標準化された光ディスクであるコンパクトディスク（以下、単にＣＤという。）には、アナログ信号であるオーディオ信号がデジタルデータに変換されて記録されている。
【０００３】
従来提供されているＣＤには、一つの楽曲を構成する一群のオーディオデータとして記録されている。例えば、一つの楽曲が歌唱とこの歌唱の伴奏音楽とから構成されるような場合、歌唱と伴奏音楽とは一群のオーディオデータとして一体に記録されている。
【０００４】
複数種類の楽器で演奏される管弦楽においても、複数種類の楽器の演奏が一群のオーディオデータとして一体に記録されている。
【０００５】
歌唱とこの歌唱の伴奏音楽とは一群のオーディオデータとして一体に記録したディスクにあっては、歌唱のみ又は伴奏音楽のみを選択して再生することはできないため、一つの楽曲の伴奏音楽部分のみの再生を必要とする場合には、伴奏音楽部分のみを歌唱と伴奏音楽とを含むオーディオデータとは独立して記録しておく必要がある。
【０００６】
複数種類の楽器の演奏が一群のオーディオデータとして一体に記録されているディスクにあっても、管弦楽を構成する一部の楽器、例えばピアノ演奏のみを再生することができない。
【０００７】
発明の開示
本発明の目的は、一群のオーディオ信号を全体として、あるいは一群のオーディオ信号の歌唱や伴奏音楽の一部のみを取り出して再生可能とする記録媒体に記録されるオーディオ信号を容易に選択して再生することができる再生装置を提供することにある。
【０００８】
上述のような目的を達成するために提案される本発明に係る記録媒体の再生装置は、音源からのオーディオ信号を所定標本化周波数により標本化して生成される標本化データが全体を含むｎ個の部分パートに分離してｎ個の記録領域に記録された記録媒体からオーディオ信号を再生する再生装置である。そして、この再生装置は、上記記録媒体のｎ個の記録領域から信号を読み取る読み取り手段と、上記読み取り手段で読み取られた上記記録媒体のｎ個の記録領域の各領域の信号を選択的に再生し若しくは全領域の中から少なくとも二つの領域以上の信号を合成して再生するかを制御する制御手段とを備える。
【０００９】
上記読み取り手段は、全ての記録領域を読み出し、上記制御手段は、各記録領域から得られたデータを合成して再生する。そして、上記記録媒体がｎ＝２となる二つの記録層を有するディスク状記録媒体であるとき、上記制御手段は、上記読み取り手段を使って一つの層を再生し、他の層を再生する際に、時間軸上の一つの層の再生終了時点より前に戻って再生開始するとともに、再生終了時点より後まで再生した後、上記一つの層に再生を移す。
【００１０】
本発明の更に他の目的、本発明によって得られる具体的な利点は、以下に説明される実施例の説明から一層明らかにされるであろう。
【００１１】
発明を実施するための最良の形態
以下、本発明に係る記録媒体の再生装置に関し、図面を参照しながら説明する。
【００１２】
本発明での記録媒体は、光ディスクにより構成される。この光ディスク１は、図１に示すように、光透過性を有するポリカーボネート樹脂などの合成樹脂やガラス等を用いた基板２を備える。この基板２の一方の面側には、例えば記録されるオーディオデータに対応する微少な凹凸パターンであるピットパターン３が設けられている。このピットパターン３は、基板２が合成樹脂により形成される場合には、基板２を射出成形する際、射出成形機に取り付けられたスタンパによって基板２の成形と同時に形成される。基板２がガラスにより形成される場合には、２Ｐ（PhotoPolymerization）法を用いて形成される。２Ｐ法は、ガラス製基板とスタンパとの間に紫外線硬化型樹脂等の光硬化型樹脂を充填し、ガラス製の基板側から紫外線等の光を照射することにより光硬化型樹脂を硬化させ、スタンパの凹凸パターンを光硬化樹脂からなる層に転写形成するものである。
【００１３】
この例の光ディスク１に用いられる基板２は、ポリカーボネート樹脂を射出成形したものであって、この基板２の一方の面側にオーディオデータがピットパターン３として記録されている。この基板２は、従来用いられているいわゆるコンパクトディスク（以下、単にＣＤという。）の基板と同様に直径が１２ｃｍで厚みがほぼ１．２ｍｍに形成されている。
【００１４】
基板２のピットパターン３が形成された一方の面には、図１に示すように、ピットパターン３を覆うように第１の記録層４が設けられている。第１の記録層４は、基板２側から照射される光ビームを一定量透過し、一定量を反射する半透過膜として形成され、Ｓｉ３Ｎ４、ＳｉＯ２等のシリコン系の膜を１００ｎｍ〜５００ｎｍ程度の厚さになるように成膜される。このとき、第１の記録層４は、Ｓｉ３Ｎ４膜やＳｉＯ２膜を多層に成膜して形成される。第１の記録層４を構成するＳｉ３Ｎ４膜やＳｉＯ２膜は、真空蒸着法あるいはスパッタリング法により基板２の一方の面に成膜される。
【００１５】
第１の記録層４上には、光透過性を有する紫外線硬化型樹脂などからなる中間層５を介して第２の記録層６が形成される。中間層５は、第１の記録層４と第２の記録層６とが、これら記録層４，６に光ビームを収束させて照射させる対物レンズの焦点深度内に位置しないように光学的に分離する役割を果たすものであるので、所定の厚さを有するように形成される。具体的には、中間層５は、３０μｍ程度の厚さに形成されている。中間層５は、厚さが薄いと、第１の記録層４からの反射光と第２の記録層６からの反射光とを十分に分離することができなくなって各反射光を正確に検出することが難しくなり、また、あまり厚くなると中間層５によって球面収差等を発生させてしまうことから、これらの点を考慮して適正な厚さが選択される。
【００１６】
ここで、中間層５は、第１の記録層４上に紫外線硬化型樹脂等をスピンコート法により塗布した後に紫外線を照射して硬化させることによって形成される。あるいは、中間層５は、紫外線硬化型樹脂等を５μｍ〜１０μｍ程度の厚さで複数回に分けて積層形成したものであってもよい。さらに、中間層５は、第１の記録層４上に透明シートを張り付けることによって形成したものであってもよい。
【００１７】
中間層５の一方の面側には、第２の記録層６に記録される例えばオーディオデータに対応する微少な凹凸パターンであるピットパターン７が形成されている。このピットパターン７は、前述したように光硬化型の樹脂を用いてガラス製の基板にピットパターンを形成する場合に用いる前述した２Ｐ法により形成することができる。
【００１８】
中間層５の一方の面に形成されたピットパターン７を覆い、第１の記録層４と積層するように第２の記録層６が形成されている。第２の記録層６は、第１の記録層４を透過して照射される光ビームを、基板２と対応するように設けられ、光ビームを出力する光ピックアップに高効率で反射させるため、アルミニウム（Ａｌ）、金（Ａｕ）、銀（Ａｇ）等の高反射率を有する材料を用いて成膜することによってピットパターン７が形成されて中間層５上に形成されている。この第２の記録層６上には、第２の記録層６を保護するため、紫外線硬化型樹脂等からなる保護層８が設けられる。この保護層８は、第２の記録層６上に紫外線硬化型樹脂等をスピンコート法により塗布し、紫外線を照射して紫外線硬化型樹脂を硬化することによって形成される。
【００１９】
ここで、第１の記録層４には、例えば歌唱とこの歌唱の伴奏音楽からある一連の楽曲から分離された伴奏音楽に相当するオーディオデータが部分パートとして記録され、第２の記録層６には、歌唱とこの歌唱の伴奏音楽からある一連の楽曲の全体を含むオーディオデータが部分パートとして記録されている。
【００２０】
第１及び第２の記録層４，６へのオーディオデータの記録は、種々の形態が可能であって、例えば第１の記録層４に歌唱とこの歌唱の伴奏音楽からなる一連の楽曲から分離された伴奏音楽に相当するオーディオデータが部分パートとして記録され、第２の記録層６に歌唱に相当するオーディオデータが部分パートとして記録されてもよい。
【００２１】
複数種類の楽器で演奏される管弦楽の如き楽曲にあっては、例えば第１の記録層４に管弦楽のピアノの演奏部分に相当するオーディオデータが部分パートとして記録され、第２の記録層６に一連の管弦楽の全体を含むオーディオデータが部分パートとして記録されてもよい。
【００２２】
以上のように、第１及び第２の記録層４，６に一連の楽曲の部分パートとして記録される各オーディオデータは、各楽曲の一群を構成する例えば歌唱又は歌唱の伴奏音楽として記録されるので、第１及び第２の記録層４，６のいずれか一方のみを再生した場合であっても、楽曲の一部としてまとまりを有するオーディオデータとして再生される。
【００２３】
第１及び第２の記録層４，６に記録されるオーディオデータは、各層に分離して記録される信号供給源から供給されるアナログのオーディオ信号をサンプリング周波数４４．１ＫＨｚの標本化と１６ビット量子化により生成される。
【００２４】
第１及び第２の記録層４，６に記録されたオーディオデータは、波長略７８０ｎｍの光ビームを用いるディスク再生装置により再生可能に記録されている。
【００２５】
光ディスク１の第１及び第２の記録層４，６のいずれか一方又は双方に第１及び第２の記録層４，６に記録された部分パートの組み合わせを識別するための識別データが記録されている。この識別データは、第１の記録層４に歌唱とこの歌唱の伴奏音楽からなる一連の楽曲から分離された伴奏音楽に相当するオーディオデータが部分パートとして記録され、第２の記録層６に歌唱に相当するオーディオデータが部分パートとして記録されている場合に、第１及び第２の記録層４，６に記録された部分パートを加算するデータであり、第１の記録層４に歌唱とこの歌唱の伴奏音楽からなる一連の楽曲の全体に相当するオーディオデータが部分パートとして記録され、第２の記録層６に歌唱に相当するオーディオデータが部分パートとして記録されている場合に、第１の記録層４に記録された部分パートから第２の記録層６に記録された部分パートを減算するデータが記録される。この識別データは、例えば、第１の記録層４と第２の記録層６のうち光ディスク１が再生装置に装着された後に先に読み出される記録層の例えば管理データや目録データが記録される記録領域に記録されている。
【００２６】
上述のように、一連の楽曲の一部が分離され、あるいは楽曲の全体とその楽曲の一部が分離され、それぞれが部分パートとして記録される光ディスク１にオーディオデータを記録する記録装置及びこの記録装置によって記録された光ディスク１を再生する再生装置を説明する。
【００２７】
光ディスク１にオーディオデータを記録する記録装置１２について説明する。
【００２８】
この記録装置１２は、図２に示すように、第１の対物レンズ９及び第２の対物レンズ１０をそれぞれ備えた２つの光ピックアップを有し、第１の対物レンズ９により収束される記録用の光ビームＬ１を第１の記録層４に合焦させ、第２の対物レンズ１０により収束される記録用の光ビームＬ２を第２の記録層６に合焦させることにより、第１及び第２の記録層４，６にオーディオデータが記録される。
【００２９】
この記録装置１２は、図３に示すように、第１の記録層４に記録されるオーディオ信号が入力される第１の入力端子１３と、第２の記録層６に記録されるオーディオ信号が入力される第２の入力端子１１３を備える。
【００３０】
ここで、第１の入力端子１３には、例えば歌唱とこの歌唱の伴奏音楽からなる一連の楽曲のうちの伴奏音楽部分の信号が分離され、この伴奏音楽に対応するオーディオ信号が部分パートとして入力される。第２の入力端子１１３には、歌唱とこの歌唱の伴奏音楽からある一連の楽曲のうちの歌唱部分の信号が分離され、この歌唱に対応するオーディオ信号が部分パートとして入力される。すなわち、この記録装置１２にあっては、例えば原音を記録したマスターテープ等を再生する音源となる図示しない再生装置から供給される歌唱とこの歌唱の伴奏音楽からなる一連の楽曲から歌唱部分の信号と伴奏音楽部分の信号が分離され、分離された歌唱部分のオーディオ信号と伴奏音楽部分のオーディオ信号が各々第１及び第２の入力端子１３，１１３に入力される。あるいは、歌唱とこの歌唱の伴奏音楽からなる一連の楽曲を、歌唱の部分と伴奏音楽の部分とに分離又は独立して記録したマスターテープを再生して得られるオーディオ信号が第１及び第２の入力端子１３，１１３に入力される。
【００３１】
なお、第１及び第２の入力端子１３，１１３にそれぞれ入力されるオーディオ信号は、ステレオ再生を可能とするように左右の２チャンネルのオーディオ信号である。
【００３２】
第１及び第２の入力端子１３，１１３にそれぞれ入力された上述した歌唱部分と伴奏音楽部分に各々対応するアナログのオーディオ信号は、第１及び第２のＡ／Ｄ変換器１４，１１４に入力され、これらＡ／Ｄ変換器１４，１１４によりＣＤで採用されているサンプリング周波数４４．１ＫＨｚでサンプリングされ、更に１６ビット量子化されたステレオ２ｃｈのオーディオ信号としてＡ／Ｄ変換器１４，１１４から出力される。
【００３３】
第１のＡ／Ｄ変換器１４より出力されるデジタルオーディオ信号は、第１の記録層４に記録するための信号処理系を構成する第１のエラー訂正符号化回路１６と、第１の変調回路１７と、第１の２値化回路１８に順次供給される。
【００３４】
同様に、第２のＡ／Ｄ変換器１１４より出力されるデジタルオーディオ信号は、第２の記録層６に記録するための信号処理系を構成する第２のエラー訂正符号化回路１１６と、第２の変調回路１１７と、第２の２値化回路１１８に順次供給される。
【００３５】
第１及び第２のエラー訂正符号化回路１６，１１６は、例えばクロスインタリーブ・リード・ソロモン符号化（Cross Interleave Reed-Solomon Code；ＣＩＲＣ）のアルゴリズムを用いてサンプルにクロスインタリーブと４次のリード・ソロモン符号の組み合わせによる符号化を施す。第１及び第２の変調回路１７、１１７は、第１及び第２のエラー訂正符号化回路１６，１１６から出力される符号化出力にＥＦＭ（Eight to Fourteen Modulation）のアルゴリズムにしたがった変調処理を施す。第１及び第２の２値化回路１８，１１８は、第１及び第２の変調回路１７，１１７からの変調出力を光ディスク１の第１及び第２の記録層４，６にそれぞれ記録するために２値化データとする。
【００３６】
第１の入力端子１３から入力され、上述した信号処理系により２値化されたデータ、すなわち２値化回路１８から出力される記録データは、図２に示す第１の対物レンズ９を有する第１の光ピックアップによって第１の記録層４に記録される。第２の入力端子１１３から入力され、上述した信号処理系により２値化されたデータ、すなわち２値化回路１１８から出力される記録データは、図２に示す第２の対物レンズ１０を有する第２の光ピックアップによって第２の記録層６に記録される。
【００３７】
上述したように、例えば歌唱とこの歌唱の伴奏音楽からなる一連の楽曲のうちの歌唱部分の信号を第１の記録層４に記録し、伴奏音楽部分の信号を第２の記録層６に記録した光ディスク１を再生する再生装置を説明する。
【００３８】
この再生装置２０は、図２に示すように、第１の対物レンズ９及び第２の対物レンズ１０をそれぞれ備えた２つの光ピックアップを有する。２つの光ピックアップのうち第１の対物レンズ９により収束される記録用の光ビームを第１の記録層４に合焦させ、第２の対物レンズ１０により収束される記録用の光ビームを第２の記録層６に合焦させ、第１及び第２の記録層４，６から反射される戻りの光ビームを検出して第１及び第２の記録層４，６に記録されたオーディオデータの再生が行われる。もちろん、後述するように、一つの光ピックアップを用い、対物レンズから光ディスク１に照射される光ビームの合焦位置を第１の記録層４と第２の記録層６のいずれかに切り換えるようにしてもよい。
【００３９】
再生装置２０は、図示しない回転駆動機構によって例えば線速度一定で回転駆動される光ディスク１の第１の記録層４から第１の光ピックアップによって読み出された信号は、再生信号処理部を構成する第１のＲＦ回路２１と第１の復調回路２２と第２のエラー訂正回路２３に順次送られる。第１のＲＦ回路２１は、第１の光ピックアップから読み取られた信号の増幅等のＲＦ処理を施しＲＦ信号を生成して第１の復調回路２２に供給する。第１の復調回路２２は、ＲＦ信号に対してＥＦＭ復調処理を施し復調信号を第１のエラー訂正回路２３に送る。第１のエラー訂正回路２３は、復調回路２２からの復調出力データにＣＩＲＣによる訂正処理を施して第１のエラー補間回路２４に供給する。第１の補間回路２４は、訂正回路２３から出力される訂正処理が施された出力データに対し補間処理を行う。
【００４０】
一方、光ディスク１の第２の記録層６から第２の光ピックアップによって読み出された信号も第１の光ピックアップによって第１の記録層４から読み出された信号と同様に、第２のＲＦ回路１２１と第２の復調回路１２２と第２のエラー訂正回路１２３に順次送られる。第２のＲＦ回路１２１は、第２の光ピックアップから読み取られた信号に増幅等のＲＦ処理を施しＲＦ信号を生成して第２の復調回路１２２に供給する。第２の復調回路１２２は、ＲＦ回路１２１から供給されるＲＦ信号に対してＥＦＭ復調処理を施し復調出力データを第２のエラー訂正回路１２３に送る。第２のエラー訂正回路１２３は、復調回路１２２からの復調出力データにＣＩＲＣによる訂正処理を施して第２のエラー補間回路１２４に供給する。第２の補間回路１２４は、訂正処理が施された訂正回路１２３からの出力データに補間処理を行う。
【００４１】
ところで、再生装置２０には、図示しないが再生モード選択釦が用意されている。この再生モード選択釦は、光ディスク１に記録されたオーディオデータの再生モードを選択するものである。
【００４２】
第１及び第２のエラー補間回路２４，１２４の出力側には、図示しない再生モード選択釦の選択よって第１及び第２の記録層４，６から読み出されたオーディオデータの出力を選択する第１及び第２のデータ出力選択回路２５，１２５が設けられている。
【００４３】
ここで、図示しない再生モード選択釦が使用者によって操作され、光ディスク１に予め記録された識別データにしたがった再生モードが選択されたときには、第１及び第２の記録層４，６から読み出されたオーディオデータは第１及び第２のデータ出力選択回路２５，１２５を介してマルチプレクサ２６に供給される。第１及び第２の記録層４，６から各々読み出されたオーディオデータが供給されたマルチプレクサ２６は、光ディスク１に予め記録された識別信号にしたがって、第１の記録層４から読み出されたオーディオデータと第２の記録層６から読み出されたオーディオデータを加算又は減算の演算処理を施して出力する。
【００４４】
例えば、第１の記録層４に歌唱とこの歌唱の伴奏音楽からなる一連の楽曲から分離された伴奏音楽に相当するオーディオデータが部分パートとして記録され、第２の記録層６に歌唱に相当するオーディオデータが部分パートとして記録さている場合に、識別データが第１及び第２の記録層４，６から読み出されたオーディオデータを加算させることを示すデータとして記録されていると、マルチプレクサ２６は第１及び第２の記録層４，６から読み出されたオーディオデータを加算して出力する。この加算されたオーディオデータは、第１の記録層４に記録された伴奏音楽に相当するオーディオデータと、第２の記録層６に記録された歌唱に相当するオーディオデータを含む一連の楽曲のオーディオデータである。
【００４５】
第１の記録層４に歌唱とこの歌唱の伴奏音楽からなる一連の楽曲の全体に相当するオーディオデータが部分パートとして記録され、第２の記録層６に歌唱に相当するオーディオデータが部分パートとして記録されている場合に、識別データが第１の記録層４に記録された部分パートから第２の記録層６に記録された部分パートを減算させることを示すデータとして記録されていると、マルチプレクサ２６は第１の記録層４から読み出されたオーディオデータから第２の記録層６から読み出されたオーディオデータを減算して出力する。この減算されたオーディオデータは、歌唱の伴奏音楽に相当するオーディオデータのみを含むオーディオデータである。
【００４６】
マルチプレクサ２６により加算又は減算されたオーディオデータは、第１のローパスフィルタ（ＬＰＦ）２７に供給される。第１のＬＰＦ２７は約２０ＫＨｚをカットオフ周波数とするフィルタリングをマルチプレクサ２６から出力されるオーディオデータに施す。第１のＬＰＦ２７によりフィルタリング処理が施されたオーディオデータは、第１のＤ／Ａ変換器２８に供給され、第１のＤ／Ａ変換器２８によりアナログオーディオ信号に変換されて第１の出力端子２９から出力される。このとき、第１の出力端子２９にスピーカ装置やヘッドホン装置等の電気−音響変換器を有する再生装置を接続することにより、第１の記録層４から読み出されたオーディオデータと第２の記録層６から読み出されたオーディオデータを加算したオーディオデータに基づく可聴音による音響再生が行われ、あるいは第１の記録層４から読み出されたオーディオデータから第２の記録層６から読み出されたオーディオデータを減算したオーディオデータに基づく可聴音による音響再生が行われる。
【００４７】
図示しない再生モード選択釦が使用者によって操作され、光ディスク１の第１及び第２の記録層４，６から読み出されたオーディオデータをそれぞれ独立して出力する再生モードが選択されると、第１及び第２の記録層４，６から読み出されたオーディオデータは、第１及び第２のデータ出力選択回路２５，１２５を介しそれぞれ第２及び第３のＬＰＦ２７ａ，２７ｂに供給される。第２及び第３のＬＰＦ２７ａ，２７ｂは約２０ＫＨｚをカットオフ周波数とするフィルタリングを第１及び第２のデータ出力選択回路２５，１２５から出力されるオーディオデータに施す。第２及び第３のＬＰＦ２７ａ，２７ｂによりフィルタリング処理が施されたオーディオデータは、第２及び第３のＤ／Ａ変換器２８ａ，２８ｂに供給され、第２及び第３のＤ／Ａ変換器２８ａ，２８ｂによりそれぞれアナログオーディオ信号に変換されて第２及び第３の出力端子２９ａ，２９ｂから出力される。このとき、第２及び第３の出力端子２９ａ，２９ｂにスピーカ装置やヘッドホン装置等の電気−音響変換器を有する再生装置を接続することにより、第１及び第２の記録層４，６から読み出されたオーディオデータに基づく可聴音による音響再生が行われる。このとき、第２又は第３の出力端子２９ａ，２９ｂから出力される信号を選択することにより、使用者は第１又は第２の記録層４，６に記録されたオーディオデータを選択的に再生し聴取することができる。
【００４８】
上述したように、光ディスク１に設けた第１及び第２の記録層４，６に一連の楽曲の一部ずつを、あるいは一部と全体を記録し、各記録層４，６から読み出されるオーディオデータを適宜加算又は減算の演算処理を施して再生することにより、多様な音響再生を行うことができる。
【００４９】
ここで、光ディスク１の第１及び第２の記録層４，６に記録されたオーディオデータは、各記録層４，６に記録された部分パート毎に意味のあるオーディオデータとして記録されることにより、前述したように、単一の対物レンズを備える一つの光ピックアップを備えた再生装置によりいずれか一方の記録層４，６のみに記録されているオーディオデータを再生することにより従来と同様の音響再生を行うこともできる。
【００５０】
次に、上述したように、第１及び第２の記録層４，６に一連の楽曲の一部ずつを部分パートとして記録し、あるいは一連の楽曲の全体とその一部を部分パートとして記録した光ディスク１を再生する再生装置の他の例を図４及び図５を参照して説明する。
【００５１】
この再生装置３０は、光ディスク１の第１及び第２の記録層４，６にそれぞれ記録されているオーディオデータを読み出す光ピックアップ３１及び信号読み取り部３２を備える読み出し機構と、信号読み取り部３２で復調処理、エラー訂正処理が施されて再生された第１の記録層４に記録されたオーディオデータに基づく再生データを記憶する第１のバッファメモリ３３と、信号読み取り部３２で復調処理、エラー訂正処理が施されて再生された第２の記録層６に記録されたオーディオデータに基づく再生データを記憶する第２のバッファメモリ３４と、これら第１及び第２のバッファメモリ３３，３４の書き込みと読み出しを管理するバッファマネジメント部３６と、第１及び第２のバッファメモリ３３，３４から読み出された出力を加算又は減算等の演算処理を行うマルチプレクサ３５と、光ピックアップ３１の対物レンズを対物レンズの光軸と平行な方向及び／又は光軸と直交する方向に移動させて光ピックアップ１から照射される光ビームが光ディスク１の目的とする記録トラックを走査するように制御するサーボ回路３８を備えてなる。このサーボ回路３８には、光ピックアップ３１から出射される対物レンズ１１により収束される光ビームが第１又は第２の記録層４，６のいずれかの記録層に選択的に合焦するように切り換えるための切換部３９も備えられている。この再生装置３０は、サーボ回路３８の制御により光ディスク１を例えば線速度一定又は角速度一定で回転させるスピンドルモータ４０も備えている。
【００５２】
再生装置３０は、使用者からの指示や、装着されるディスクの形態に応じて光ディスク１の第１及び第２の記録層４，６に記録されたオーディオデータを選択的に再生するか、あるいは第１及び第２の記録層４，６に記録されたオーディオデータを合成して再生するか、あるいは従来のＣＤ等の光ディスクを再生するかを決定し、その決定結果にしたがって、サーボ回路３８、切換部３９、信号読み取り部３２及びバッファマネジメント部３６を制御する演算処理部（ＣＰＵ）３７とを備えてなる。なお、演算処理部３７には、図示しないが、使用者によって光ディスク１の再生モードを選択するための再生モード選択釦が設けられた操作部が接続されている。
【００５３】
なお、この再生装置３０において、第１及び第２の記録層４，６から読み出されたオーディオデータは、第１のバッファメモリ３３、第２のバッファメモリ３４の２つのバッファメモリを用いることなく共通の一つのバッファメモリに記憶領域を分けて記憶するようにしてもよい。
【００５４】
この再生装置３０は、光ピックアップ３１によって光ディスク１の第１及び／又は第２の記録層４，６から読み取られたオーディオデータは信号読み取り部３２に供給される。光ピックアップ３１は、サーボ回路３８及び切換部３９からの制御信号に基づいて、第１の記録層４又は第２の記録層６に選択的に光ビームを合焦させ、第１又は第２の記録層４，６を走査するように制御される。
【００５５】
光ピックアップ３１とともに読み出し機構を構成する信号読み取り部３２は、光ピックアップ３１から出力された出力信号、すなわち第１又は第２の記録層４，６から読み出されたオーディオデータに基づく信号に増幅等のＲＦ処理、復調処理、エラー訂正処理等の所定の再生信号処理を施して第１のバッファメモリ３３又は第２のバッファメモリ３４に供給する。
【００５６】
第１のバッファメモリ３３は、第１の記録層４に記録される、あるいは第１の記録層４から読み出されたオーディオデータに基づく再生データの書き込み又は再生用メモリであり、第２のバッファメモリ３４は第２の記録層６に記録される、あるいは第２の記録層６から読み出されたオーディオデータに基づく再生データの書き込み又は再生用メモリである。第１のバッファメモリ３３又は第２のバッファメモリ３４は、バッファマネジメント部３６によってデータの書き込み又は読み出しが管理される。
【００５７】
次に、図５に示す再生装置３０の動作の詳細について説明する。
【００５８】
ここで、再生装置３０に設けた図示しない再生モード選択釦が使用者によって操作され、光ディスク１の第１の記録層４に記録されているオーディオデータのみを再生せよというものであった場合、演算処理部３７は第１の記録層４からのみのオーディオデータの再生を決定し、光ピックアップ３１は、光ビームがスピンドルモータ４０によって回転される光ディスク１の第１の記録層４上に合焦して第１の記録層４のみを走査するようにサーボ回路３８及び切換部３９によって制御される。光ピックアップ３１が第１の記録層４を走査するように制御されると、第１の記録層４のみから反射される戻りの光ビームが光ピックアップ３１の光検出部によって検出され、光ピックアップ３１からの出力信号が信号読み取り部３２に供給され、第１の記録層４に記録されたオーディオデータのみが読み出される。信号読み取り部３２から出力される第１の記録層４に記録されたオーディオデータに基づく出力データには復調、エラー訂正等の所定の再生処理が施されてバッファマネジメント部３６の管理に応じて所定のタイミングで第１のバッファメモリ３３に書き込まれ、さらに第１のバッファメモリ３３から読み出されてマルチプレクサ３５を介して出力端子４１から出力される。
【００５９】
なお、第１の記録層４から読み出されたオーディオデータは、前述した図３に示した再生装置２０に用いられるものと同様のエラー補間部２５、ＬＰＦ２６及びＤ／Ａ変換部２７を介してアナログオーディオ信号に変換されて出力端子４１から出力される。
【００６０】
また、再生装置３０に設けた図示しない再生モード選択釦が使用者によって操作され、光ディスク１の第２の記録層６に記録されているオーディオデータのみを再生する再生モードが選択された場合にも、上述した第１の記録層４のみを再生する再生モードが選択された場合と同様の処理が施されて第２の記録層６に記録されたオーディオデータが読み取られ、アナログオーディオ信号に変換されて出力端子４１から出力される。
【００６１】
さらに、再生装置３０に設けた図示しない再生モード選択釦が使用者によって操作され、光ディスク１の第１及び第２の記録層４，６に記録されたオーディオデータをマルチプレクスして再生する再生モードが選択された場合には、次のような動作によって再生が行われる。このマルチプレクスして再生する再生モードが選択されると、演算処理部３７は光ディスク１の第１及び第２の記録層４，６から読み出されたオーディオデータに基づく出力データをマルチプレクスして再生を行うことを決定する。マルチプレクスして再生する再生モードでの再生が決定されると、光ピックアップ３１は、サーボ回路３８及び切換部３９により、再生用の光ビームが第１の記録層４と第２の記録層６のいずれかの記録層に合焦するように切り換え制御される。光ビームの第１又は第２の記録層４，６への合焦点の切り換えタイミングは、第１の記録層４に記録されたオーディオデータを再生した後、第２の記録層６に記録されたオーディオデータを再生する際に、第２の記録層６を時間軸上第１の記録層４のオーディオデータの再生終了時点より前に戻って再生を開始するとともに、第１の記録層４のオーディオデータの再生終了時点より後まで第２の記録層６の再生を行った後、第１の記録層４に光ビームの合焦点に再生を移すように行われる。すなわち、図６Ａに示すように、第１の記録層４の点Ｐ１１から点Ｐ１２まで再生した後、第２の記録層６に再生を移すときには、光ビームの合焦点を第１の記録層４の再生終了時点Ｐ１２より時間軸上の前の位置に戻り点Ｐ２１から第２の記録層６の再生を開始し、第１の記録層４の再生終了時点Ｐ１２より時間軸上の後の点Ｐ２２まで第２の記録層６を再生した後、光ビームの合焦点を第１の記録層４の点Ｐ１２から再生を開始する。第１の記録層４の点Ｐ１２からの再生は第２の記録層６の再生終了時点Ｐ２２よりも時間軸上の後の点Ｐ１３まで続く。第２の記録層６に再生を移すときには、光ビームの合焦点を第２の記録層６の再生終了時点Ｐ２２に戻って第１の記録層４の再生終了時点Ｐ１３よりも時間軸上の後の点Ｐ２３まで第２の記録層６を再生する。なお、光ビームの合焦点、すなわち光ビームの合焦位置の切り換えは、例えば光ピックアップ３１の対物レンズ１１の光軸方向、すなわちフォーカス方向に移動させることによって行われる。
【００６２】
この図６Ａに示した再生タイミングにより第１の記録層４及び第２の記録層６から読み出されたオーディオデータは、信号読み取り部３２に供給され、上述したタイミングにしたがった上述した所定の再生信号処理が施される。信号読み取り部３２は、第１の記録層４又は第２の記録層６から読み出された読み取り信号を出力する際に第１の記録層４及び第２の記録層６に予め記録された各記録層４，６から読み出されたデータを加算するのか減算するのかを示す識別データを演算処理部３７に出力し、演算処理部３７はバッファマネジメント部３６を介して第１及び第２のバッファメモリ３３，３４へのデータの書き込み又は読み出しタイミングの制御を行う。
【００６３】
第１及び第２のバッファメモリ３３，３４へのデータの書き込みタイミングは、図６Ａに示した再生タイミングや信号読み取り部３２での読み取りタイミングと同様とする。これに対して第１及び第２のバッファメモリ３３，３４からのデータの読み出しタイミングは、第１又は第２のバッファメモリ３３，３４のいずれか一方のバッファメモリへ書き込まれたデータが所定量蓄積された後開始するというタイミングで行う。理論的には光ディスク１から規定されている標準の読み出し速度の２倍速以上の高速読み出しを行い、上述したタイミングで第１及び第２のバッファメモリ３３，３４へのデータ書き込みを行い、第１又は第２の記録層４，６に記録されたオーディオデータを読み出して再生し、第１又は第２のバッファメモリ３３，３４に所定量データが書き込まれた後、第２又は第１の記録層６，４に記録されたオーディオデータに基づく出力データを第１のバッファメモリ３３又は第２のバッファメモリ３４から読み出しマルチプレクサ３５でマルチプレクスする。第１の記録層４及び第２の記録層６から途切れることなく再生するためには第１及び第２の記録層４，６の再生タイミングの切り換え時間も鑑みると、上述したように少なくとも２倍速が必要であり、現実的には４倍速以上でスピンドルモータ４０を回転させ、光ピックアップ３１が高速で光ディスク１に記録されているデータを読み出すことになる。
【００６４】
なお、演算処理部３７の制御により、光ピックアップ３１から出射される再生用の光ビームの合焦位置を第１の記録層４と第２の記録層６のうちのいずれかの記録層に切り換えながら照射させる切り換えタイミングは、図６Ｂに示すタイミングでもよい。第１の記録層４の点Ｐ１１から点Ｐ１２まで第１の記録層４を再生し、第２の記録層６に再生を移すときには、光ビームによる走査点を第１の記録層４の再生終了時点Ｐ１２より時間軸上の前に戻り点Ｐ２１から第２の記録層６の再生を開始し、第１の記録層４の再生終了時点Ｐ１２と同じタイミングの点Ｐ２２まで第２の記録層６を再生した後、光ビームの合焦位置を第１の記録層４に移動させ、第１の記録層４の点Ｐ１２から第１の記録層４の再生を開始する。第１の記録層４の点Ｐ１２からの再生は、第２の記録層６の再生終了時点Ｐ２２よりも時間軸上の後の点Ｐ１３まで続く。第２の記録層６に再生を移すときには、光ビームの合焦位置に移動させ光ビームの走査位置を第２の記録層６の再生終了時点Ｐ２２に戻し第１の記録層４の再生終了時点Ｐ１３と同じタイミングの点Ｐ２３まで第２の記録層６を再生する。
【００６５】
この図６Ｂに示した再生タイミングにより第１の記録層４及び第２の記録層６から読み出された信号は信号読み取り部３２に供給され、上述したタイミングにしたがって上述した再生信号処理が施される。
【００６６】
さらに、図６Ｃには記録層を複数有する光ディスクの他の例として、５層の記録層を有する５層光ディスクを記録媒体とする例であって、この光ディスクの各記録層に記録されたオーディオデータを一つの光ピックアップを用いて各層毎に順次切り換えながら再生する切り換えタイミングを示す。
【００６７】
第１の記録層から第２の記録層、第２の記録層から第３の記録層、第３の記録層から第４の記録層、第４の記録層から第５の記録層に光ピックアップから出射される再生用の光ビームの合焦位置を切り換える場合には、前層の再生終了時点Ｐ１２，Ｐ２２，Ｐ３２，Ｐ４２より時間軸上の前の位置に戻る。第２の記録層、第３の記録層、第４の記録層については、時間軸上の前の記録層の再生終了時点Ｐ１２，Ｐ２２，Ｐ３２と同じタイミングの点Ｐ２２，Ｐ３２，Ｐ４２まで第２の記録層、第３の記録層、第４の記録層を各々再生する。第５の記録層の再生タイミングのみ第４の記録層の再生終了時点Ｐ４２よりも時間軸上の後ろの再生終了時点Ｐ５２まで第５の記録層を再生する。
【００６８】
上述したように、図５に示す再生装置３０でも、光ディスク１の第１及び第２の記録層４，６の各記録層にそれぞれ記録された一連の楽曲の歌唱部分のデータ及び歌唱の伴奏部分のデータを合成したデータを再生する、あるいは第１の記録層４又は第２の記録層６のいずれか一の記録層に記録された一連の楽曲の全体から他の記録層に記録された一連の楽曲の歌唱部分のデータ又は歌唱の伴奏部分のデータを除いた部分のデータを再生するなど多様なオーディオ再生を行うことができる。第１及び第２の記録層４，６の各記録層には、一連の楽曲の歌唱部分のデータと歌唱の伴奏部分のデータがそれぞれ記録され、あるいは一連の楽曲の全体のデータが記録されることにより、いずれかの記録層に記録されたオーディオデータを再生しても、聴取可能な楽曲の再生が可能となる。
【００６９】
次に、光ディスク１の第１及び第２の記録層４，６に記録されるオーディオ信号を標本化の前段階でＬＰＦを介して記録する記録装置の例を挙げて説明する。
【００７０】
この記録装置４５は、図７に示すように、光ディスク１の第１の記録層４に記録されるオーディオ信号が入力される第１の入力端子４６と、第２の記録層６に記録されるオーディオ信号が入力される第２の入力端子１４６を備える。
【００７１】
ここで、第１の入力端子４６には、例えば歌唱部分及び歌唱の伴奏部分を含む一連の楽曲の全体のオーディオ信号が部分パートとして図示しない音源から供給され、第２の入力端子１４６には、歌唱部分及び歌唱の伴奏部分を含む一連の楽曲の伴奏部分のオーディオ信号が部分パートとして図示しない音源から入力される。
【００７２】
あるいは、第１の入力端子４６には、例えば歌唱部分及び歌唱の伴奏部分を含む一連の楽曲の全体のオーディオ信号が部分パートとして図示しない音源から供給され、第２の入力端子１４６には、歌唱部分及び歌唱の伴奏部分を含む一連の楽曲の歌唱部分のオーディオ信号が部分パートとして図示しない音源から入力されてもよい。
【００７３】
さらには、第１の入力端子４６には、歌唱部分及び歌唱の伴奏部分を含む一連の楽曲の伴奏部分のオーディオ信号が部分パートとして入力され、第２の入力端子１４６には、歌唱部分及び歌唱の伴奏部分を含む一連の楽曲の歌唱部分のオーディオ信号が部分パートとして入力されてもよい。
【００７４】
ここで、第１及び第２の入力端子４６，１４６にそれぞれ入力されるオーディオ信号は、ステレオ再生を可能となす左右の２チャンネルのステレオオーディオ信号である。
【００７５】
第１及び第２の入力端子４６，１４６にそれぞれ入力されたオーディオ信号は、左右の各チャンネル毎にサンプリング周波数４４．１ＫＨｚの標本化と１６ビットの量子化が施され光ディスク１の第１及び第２の記録層４，６に各々記録される。
【００７６】
第１の入力端子４６に入力された第１のオーディオ信号は、第１のラインアンプ４７で増幅された後、ディザ発生回路４８からの小さなランダムノイズであるディザを加算する第１の加算器４９に供給される。第１の加算器４９でディザが加算された第１のオーディオ信号は、第１の低域通過フィルタ（以下、単にＬＰＦという。）５０により２０ＫＨｚ以下の周波数帯域の信号成分が取り出され、第１の標本化回路５１に供給される。第１の標本化回路５１は、第１のＬＰＦ５０からのフィルタ出力にサンプリング周波数４４．１ＫＨｚのサンプリング処理を施す。このサンプリングデータは第１のＡ／Ｄ変換器５２により１６ビットのデジタル信号に変換される。
【００７７】
同様に、第２の入力端子１４６に入力された第２のオーディオ信号は、第２のラインアンプ１４７で増幅された後、ディザ発生回路４８からのディザを加算する第２の加算器１４９に供給される。第２の加算器１４９でディザが加算された第２のオーディオ信号は第２のＬＰＦ５０により２０ＫＨｚ以下の周波数帯域の信号成分が取り出され、第２の標本化回路１５１に供給される。第２の標本化回路１５１は、第２のＬＰＦ１５０からのフィルタ出力にサンプリング周波数４４．１ＫＨｚのサンプリング処理を施す。このサンプリングデータは第２のＡ／Ｄ変換器１５２により１６ビットのデジタル信号に変換される。
【００７８】
第１のＡ／Ｄ変換器５２から出力される第１のオーディオ信号に基づく第１のデジタルオーディオ信号は、第１のバッファメモリ５３に記憶される。第１のバッファメモリ５３から読み出された第１のデジタルオーディオ信号は第１のエラー訂正符号化回路５４に供給され、ＣＩＲＣのアルゴリズムを用いたクロスインタリーブと４次のリード・ソロモン符号の組み合わせによる符号化処理が施される。第１のエラー訂正符号化回路５４から出力される符号化データには第１の変調回路５５によりＥＦＭ変調が施された後、第１の記録処理回路５６により記録信号処理が施され、前述した図２に示す二つの光ピックアップの内の一つの光ピックアップにより光ディスク１の第１の記録層４に記録される。
【００７９】
一方、第２のＡ／Ｄ変換器１５２から出力される第２のオーディオ信号に基づく第２のデジタルオーディオ信号は、第２のバッファメモリ１５３に記憶される。第２のバッファメモリ１５３から読み出された第２のデジタルオーディオ信号は第２のエラー訂正符号化回路１５４に供給され、ＣＩＲＣのアルゴリズムを用いたクロスインタリーブと４次のリード・ソロモン符号の組み合わせによる符号化が施される。第２のエラー訂正符号化回路１５４から出力される符号化データは、第２の変調回路１５５によりＥＦＭ変調が施された後、第２の記録処理回路１５６により記録信号処理が施され、前述した図２に示す二つの光ピックアップの内の他の光ピックアップにより光ディスク１の第２の記録層６に記録される。
【００８０】
上述した各例の光ディスク１は、複数の記録層が積層するように設け、各記録層に一連の楽曲の全体又は一部の構成を部分パートとして記録するようにしているが、図８に示すように、光ディスク６０の主面を平面で分割した二つ若しくは二つ以上の複数の領域に分割し、各領域に一連の楽曲の全体又は一部の構成を部分パートとして記録するようにしてもよい。
【００８１】
図８に示す光ディスク６０は、内周側に第１の記録領域６２が設けられ、第１の記録領域６２の外周側に第２の記録領域６５が設けられている。
【００８２】
そして、第１の記録領域６２には、例えば歌唱部分及び歌唱の伴奏部分を含む一連の楽曲の全体のオーディオ信号が部分パートとして記録され、第２の記録領域６５には、歌唱部分及び歌唱の伴奏部分を含む一連の楽曲の伴奏部分のオーディオ信号が部分パートと記録される。
【００８３】
あるいは、第１の記録領域６２には、例えば歌唱部分及び歌唱の伴奏部分を含む一連の楽曲の伴奏部分のオーディオ信号が部分パートとして記録され、第２の記録領域６５には、歌唱部分及び歌唱の伴奏部分を含む一連の楽曲の歌唱部分のオーディオ信号が部分パートとして記録される。
【００８４】
第１及び第２の記録領域６２，６５に記録される第１及び第２のオーディオ信号は、サンプリング周波数４４．１ＫＨｚの標本化と１６ビット量子化により生成された標本化データからデジタルオーディオ信号に変換され、前述した例と同様に、エラー訂正処理及びＥＦＭ変調が施されて各々の記録領域６２，６５に記録される。
【００８５】
第１の記録領域６２の内周側には隣接して、第１の記録領域６２に記録されたオーディオデータを管理するための第１の管理領域６１が設けられている。第２の記録領域６５の内周側で第１の記録領域の外周側には隣接して、第２の記録領域６５に記録されたオーディオデータを管理するための第２の管理領域６４が設けられている。第１の管理領域６１には、第２の記録領域６５が存在する旨を示す第１の識別信号と第１の記録領域６２に記録されているデータと第２の記録領域６５に記録されているデータをマルチプレクスして再生するか否かを示す第２の識別データが記録されている。
【００８６】
また、光ディスク６０は、中央にセンタ孔６７が設けられ、第１の管理領域６１と第１の記録領域６２と、これら領域６１，６２に対応する第１のリードアウト領域６３とで第１のセッション６８を形成し、第２の管理領域６４と第２の記録領域６５と、これら領域６４，６５に対応する第２のリードアウト領域６６とで第２のセッション６９を形成している。
【００８７】
これら各記録領域６２，６５に記録されるオーディオデータは、従来広く用いられている７８０ｎｍの光ビームを用いるコンパクトディスク用の再生装置で再生可能に記録される。また、第１及び第２の記録領域６２，６５には、前述した光ディスク１と同様に例えば歌唱部分及び歌唱の伴奏部分を含む一連の楽曲の伴奏部分や歌唱部分が一群として記録されるので、各記録領域６２，６５に記録されたオーディオデータをそれぞれ単独で再生した場合であっても、楽曲として聴取可能なものとして再生される。
【００８８】
なお、本発明には、光ディスクのみならず、光カードや半導体メモリによっても構成することができる。
【００８９】
産業上の利用可能性
本発明では、記録媒体を再生することにより、歌唱と件奏音楽とからなる楽曲や複数種類の楽器で演奏される管弦楽を一群のオーディオ信号として再生することに加えて、歌唱と件奏音楽とからなる楽曲の伴奏音楽部分のみや、管弦楽の一部の楽器の演奏のみの再生することができるので、使用者が多様なオーディオ再生を自在に選択しながら行うことができる。
【図面の簡単な説明】
【図１】  図１は、本発明に係る光ディスクの一例を示す断面図である。
【図２】  図２は、光ディスクの第１の記録層及び第２の記録層にそれぞれオーディオ信号を記録する二つの光ピックアップを説明するための図である。
【図３】  図３は、本発明に係る記録装置と再生装置の一例を示すブロック図である。
【図４】  図４は、本発明に係る光ディスクの第１及び第２の記録層にオーディオ信号を記録し又は記録されたオーディオ信号を再生する状態を示す断面図である。
【図５】  図５は、本発明に係る再生装置の他の例を示すブロック図である。
【図６Ａ】  図６Ａ、図６Ｂ、図６Ｃは、図５に示した再生装置により光ディスクに多層に形成した複数の記録層に記録されたオーディオ信号を再生するための切り換えタイミングを示す図である。
【図６Ｂ】  図６Ａ、図６Ｂ、図６Ｃは、図５に示した再生装置により光ディスクに多層に形成した複数の記録層に記録されたオーディオ信号を再生するための切り換えタイミングを示す図である。
【図６Ｃ】  図６Ａ、図６Ｂ、図６Ｃは、図５に示した再生装置により光ディスクに多層に形成した複数の記録層に記録されたオーディオ信号を再生するための切り換えタイミングを示す図である。
【図７】  図７は、本発明に係る記録装置の他の例を示すブロック図である。
【図８】  図８は、本発明に係る光ディスクの他の例を示す図である。
【図１】
0004465942.tif 000002
【図２】
0004465942.tif 000003
【図３】
0004465942.tif 000004
【図４】
0004465942.tif 000005
【図５】
0004465942.tif 000006
【図６Ａ】
0004465942.tif 000007
【図６Ｂ】
0004465942.tif 000008
【図６Ｃ】
0004465942.tif 000009
【図７】
0004465942.tif 000010
【図８】
0004465942.tif 000011